(57)【要約】 【課題】  セキュリティを強化しつつ、ユーザビリティの低下を抑えること。【解決手段】  医用画像診断装置は、定義部、及び制限制御部を備える。定義部は、患者についての情報を扱う第１処理に対し、検査を実施するための第２処理を先に実行することを条件とした実行制限を定義する。制限制御部は、前記第２処理が実行されることで条件が満たされた場合、前記第１処理にかけられていた実行制限を解除する。【選択図】図２
2020004086.tif 000002
【特許請求の範囲】
【請求項１】
患者についての情報を扱う第１処理に対し、検査を実施するための第２処理を先に実行することを条件とした実行制限を定義する定義部と、
前記第２処理が実行されることで条件が満たされた場合、前記第１処理にかけられていた実行制限を解除する制限制御部と
を具備する医用画像診断装置。
【請求項２】
操作者による緊急的なログオンを認証する認証部をさらに具備し、
前記制限制御部は、前記操作者が緊急的にログオンした場合、前記第１処理に対する前記実行制限を起動させる請求項１記載の医用画像診断装置。
【請求項３】
前記第２処理が複数存在し、
前記制限制御部は、前記第２処理が予め設定された順序で実行された場合、前記第１処理にかけられていた実行制限を解除する請求項１又は２記載の医用画像診断装置。
【請求項４】
前記第１処理は、フィルミング、及び画像転送のうち少なくともいずれか１つを含み、
前記第２処理は、スキャン条件の設定、及び撮影のうち少なくともいずれか１つを含む請求項１乃至３のいずれかに記載の医用画像診断装置。
【請求項５】
前記第２処理は、撮影を含み、
前記制限制御部は、撮影が正常に実施されない場合、前記第２処理が実行されていないと判断する請求項１乃至３のいずれかに記載の医用画像診断装置。
【請求項６】
前記制限制御部は、患者を載置するための寝台に患者が存在していない場合、前記第２処理が実行されていないと判断する請求項１乃至３のいずれかに記載の医用画像診断装置。
【請求項７】
前記第２処理は、スキャン条件の設定を含み、
前記制限制御部は、スキャン条件が正しくない場合、前記第２処理が実行されていないと判断する請求項１乃至３のいずれかに記載の医用画像診断装置。
【請求項８】
前記第２処理は、検査の終了を含み、
前記制限制御部は、検査が適切でない場合、前記第２処理が実行されていないと判断する請求項１乃至３のいずれかに記載の医用画像診断装置。
【請求項９】
患者についての情報を扱う第１処理に対し、読影レポートを作成するための第２処理を先に実行することを条件とした実行制限を定義する定義部と、
前記第２処理が実行されることで条件が満たされた場合、前記第１処理にかけられていた実行制限を解除する制限制御部と
を具備する医用画像診断装置。
【請求項１０】
患者についての情報を扱う第１処理に対し、検査を実施するため、又は読影レポートを作成するための第２処理を先に実行することを条件とした実行制限をかける処理と、
前記第２処理が実行されることで条件が満たされた場合、前記第１処理にかけられていた実行制限を解除する処理と
をプロセッサに実行させるプログラム。
【発明の詳細な説明】
【技術分野】
【０００１】
本発明の実施形態は、医用画像診断装置、及びプログラムに関する。
【背景技術】
【０００２】
近年、ビッグデータを解析することで市場の動向を分析する等、情報活用の機会が増加している。このため、情報の価値が向上しており、個人情報が狙われる状況を招いている。
【０００３】
特に、詳細な個人情報を記憶している医療機関は狙われやすい状況にある。医療機器のセキュリティ対策としては、個人のアカウント及びパスワードによる使用者の個人認証が代表的である。最近ではセキュリティ強化の観点から、パスワードの長大及び複雑化、並びに、入力ミス時の機器のロック等、セキュリティ対策は厳格化の傾向がある。
【０００４】
一方で、患者の安全を最優先する特性から、緊急の場合には、個人認証せずに医療機器を使用可能とする場合がある。しかしながら、個人認証せずに医療機器を使用する場合、使用可能な機能に制限がかかっていることが一般的である。そのため、緊急時におけるワークフロー、機器の操作感、及び操作方法等は通常時と異なることとなり、ユーザビリティが低下してしまうおそれがある。
【先行技術文献】
【特許文献】
【０００５】
【特許文献１】特開２００９−２８２６７０号公報
【発明の概要】
【発明が解決しようとする課題】
【０００６】
発明が解決しようとする課題は、セキュリティを強化しつつ、ユーザビリティの低下を抑えることにある。
【課題を解決するための手段】
【０００７】
実施形態によれば、医用画像診断装置は、定義部、及び制限制御部を備える。定義部は、患者についての情報を扱う第１処理に対し、検査を実施するための第２処理を先に実行することを条件とした実行制限を定義する。制限制御部は、前記第２処理が実行されることで条件が満たされた場合、前記第１処理にかけられていた実行制限を解除する。
【図面の簡単な説明】
【０００８】
【図１】図１は、第１の実施形態に係る医用画像診断装置の機能構成を表す図である。
【図２】図２は、図１に示される処理回路が、制限を解除しながら処理を実行する動作を表すフローチャートである。
【図３】図３は、図１に示されるディスプレイで表示されるログオン画面を表す図である。
【図４】図４は、図１に示されるメモリで記憶されている管理テーブルを表す図である。
【図５】図５は、図１に示されるディスプレイで表示されるダイアログを表す図である。
【図６】図６は、図１に示されるディスプレイで表示される患者登録画面を表す図である。
【図７】図７は、図１に示されるディスプレイで表示されるスキャン条件の設定画面を表す図である。
【図８】図８は、図１に示されるディスプレイで表示されるダイアログを表す図である。
【図９】図９は、図１に示されるディスプレイで表示される検査の終了画面を表す図である。
【図１０】図１０は、図１に示されるディスプレイで表示されるダイアログを表す図である。
【図１１】図１１は、図１に示されるディスプレイで表示されるダイアログを表す図である。
【図１２】図１２は、図１に示されるディスプレイで表示される患者登録画面のその他の例を表す図である。
【図１３】図１３は、図１に示されるディスプレイで表示される患者登録画面のその他の例を表す図である。
【図１４】図１４は、図１に示されるディスプレイで表示される患者登録画面のその他の例を表す図である。
【図１５】図１５は、図１に示されるディスプレイで表示される、処理に対する制限の設定画面を表す図である。
【図１６】図１６は、第２の実施形態に係る医用画像診断装置が設けられるレポートシステムの機能構成を表す図である。
【発明を実施するための形態】
【０００９】
以下、実施の形態について、図面を参照して説明する。
【００１０】
（第１の実施形態）  
図１は、第１の実施形態に係る医用画像診断装置１００の機能構成の例を表す図である。図１に示される医用画像診断装置１００は、検査装置１２１、バス１２３、入力インタフェース１２５、ディスプレイ１２７、通信インタフェース１２８、メモリ１２９、及び処理回路１３１を備える。
【００１１】
検査装置１２１は、患者の内部情報を取得する装置であり、医用画像診断装置１００の各種機能を実行する。検査装置１２１の例としては、例えば、医用画像診断装置１００がＸ線ＣＴ（Computed Tomography）装置である場合には、例えば、Ｘ線管及びＸ線検出器を含む。また、例えば、医用画像診断装置１００が超音波画像診断装置である場合には、例えば、超音波プローブ及び超音波プローブを介して取得された信号を基に超音波画像を生成する画像生成装置を含む。また、例えば、医用画像診断装置１００が磁気共鳴イメージング（Magnetic Resonance Imaging:ＭＲＩ）装置である場合には、静磁場磁石、傾斜磁場コイル、及び傾斜磁場電源を含む。
【００１２】
バス１２３は、入力インタフェース１２５、ディスプレイ１２７、通信インタフェース１２８、メモリ１２９、及び処理回路１３１の間でデータが伝送する伝送路である。バス１２３には、ネットワーク等を介して、各種生体信号計測器、外部記憶装置などが適宜接続されてもよい。
【００１３】
入力インタフェース１２５は、操作者から入力される各種指示及び情報を受け付け、受け付けた指示及び情報を処理回路１３１へ出力する。入力インタフェース１２５は、例えば、マウス、キーボード、トラックボール、スイッチ、ボタン、ジョイスティック、タッチパッド、及び操作面へ触れることで指示が入力されるタッチパネル等の入力機器に接続されている。また、入力インタフェース１２５に接続される入力機器は、ネットワーク等を介して接続された他のコンピュータに設けられた入力機器でもよい。
【００１４】
ディスプレイ１２７は、処理回路１３１からの指示に従って種々の情報を表示する。また、ディスプレイ１２７は、ユーザからの各種操作を受け付けるためのＧＵＩ（Graphical User Interface）等を表示してもよい。ディスプレイ１２７は、例えば、ＣＲＴ（Cathode Ray Tube）ディスプレイ、液晶ディスプレイ、有機ＥＬディスプレイ、ＬＥＤディスプレイ、及びプラズマディスプレイ等、任意のディスプレイが適宜利用可能である。
【００１５】
通信インタフェース１２８は、ＬＡＮ（Local Area Network）等の病院内ネットワークを介し、病院内のシステムとデータ通信を行う。通信インタフェース１２８は、例えば、予め設定されている既知の規格に準拠してデータ通信を行う。例えば、ＰＡＣＳ（Picture Archiving and Communication System）との間では、例えば、ＤＩＣＯＭ（Digital Imaging and Communication Medicine）に準拠した通信が実施される。
【００１６】
メモリ１２９は、種々の情報を記憶するＲＯＭ（Read Only Memory）、ＲＡＭ（Random Access Memory）、ＨＤＤ（Hard Disk Drive）、ＳＳＤ（Solid State Drive）、及び集積回路記憶装置等の記憶装置である。また、メモリ１２９は、ＣＤ−ＲＯＭドライブ、ＤＶＤドライブ、及びフラッシュメモリ等の可搬性記憶媒体との間で種々の情報を読み書きする駆動装置等であってもよい。なお、メモリ１２９は、必ずしも単一の記憶装置により実現される必要は無い。例えば、メモリ１２９は、複数の記憶装置により実現されても構わない。また、メモリ１２９は、医用画像診断装置１００にネットワークを介して接続された他のコンピュータ内にあってもよい。
【００１７】
メモリ１２９は、処理回路１３１で実行される各種機能に対応するプログラムを記憶している。なお、これら各種機能に対応するプログラムは、例えば、メモリ１２９に予め記憶されていてもよい。また、例えば、非一過性の記憶媒体に記憶されて配布され、非一過性の記憶媒体から読み出されてメモリ１２９にインストールされてもよい。
【００１８】
本実施形態に係る医用画像診断装置１００は、使用開始時に操作者に対してログオンを要求し、操作者から入力されたユーザ名及びパスワードに基づいて操作者を認証する。メモリ１２９は、操作者に対して設定されているユーザ名及びパスワードを記憶している。
【００１９】
本実施形態に係る医用画像診断装置１００は、処理回路１３１の制御により、ユーザ定義に応じて実行可能な処理が制限されている。そして、医用画像診断装置１００は、実行可能と設定されている処理の実行状況に応じ、制限されている処理を段階的に実行可能にする。メモリ１２９は、操作者に対して実行が制限されている処理、及び制限を解除するための条件を記憶している。なお、操作者に対して実行が制限されている処理、及び制限を解除するための条件は、設定を変更することが可能である。
【００２０】
メモリ１２９は、処理回路１３１の制御により、検査装置１２１による検査で得られたデータ等を記憶する。また、本実施形態に係る医用画像診断装置１００は、実行可能な処理が制限されている操作者が、制限を解除するための条件を満たしたか否かを判断するため、操作者が実施した処理を記憶する必要がある。メモリ１２９は、処理回路１３１の制御により、操作者の指示に従って実行した処理を、実行時刻と共に記憶する。
【００２１】
処理回路１３１は、医用画像診断装置１００の中枢として機能するプロセッサである。処理回路１３１は、メモリ１２９等に記憶されているプログラムを実行することにより、当該プログラムに対応する機能を実現する。例えば、処理回路１３１は、プログラムを実行することで、システム制御機能１３１１、認証・管理機能１３１４、操作記憶機能１３１５、ゲート定義機能１３１６、及び制限制御機能１３１７を有する。なお、本実施形態では、単一のプロセッサによってシステム制御機能１３１１、認証・管理機能１３１４、操作記憶機能１３１５、ゲート定義機能１３１６、及び制限制御機能１３１７が実現される場合を説明するが、これに限定されない。例えば、複数の独立したプロセッサを組み合わせて処理回路を構成し、各プロセッサがプログラムを実行することによりシステム制御機能１３１１、認証・管理機能１３１４、操作記憶機能１３１５、ゲート定義機能１３１６、及び制限制御機能１３１７を実現しても構わない。
【００２２】
システム制御機能１３１１は、医用画像診断装置１００を統括的に制御する機能である。具体的には、システム制御機能１３１１において処理回路１３１は、例えば、入力インタフェース１２５を介して操作者から入力されるスキャン条件に基づいて検査装置１２１を駆動させる。
【００２３】
認証・管理機能１３１４は、ログオン情報を管理し、ログオン時に操作者から入力される情報に基づいて操作者を認証する機能であり、認証部の一例である。具体的には、認証・管理機能１３１４において処理回路１３１は、ディスプレイ１２７にログオン画面を表示させ、操作者にログオンに必要な情報を入力させる。処理回路１３１は、操作者により入力されたユーザ名及びパスワードを、メモリ１２９に記憶されているユーザ名及びパスワードと照合し、操作者の認証を行う。入力されたユーザ名及びパスワードが、メモリ１２９に記憶されているユーザ名及びパスワードと同一である場合、処理回路１３１は、通常のログオンがなされたと判断する。
【００２４】
医療機器では、患者の安全を最優先とする特性がある。そこで、本実施形態に係る医用画像診断装置１００では、ユーザ名及びパスワードを入力せずに操作者がログオン可能な緊急ログオン機能が設けられている。ディスプレイ１２７に表示されるログオン画面には、例えば、緊急ログオンボタンが表示される。操作者により緊急ログオンボタンが押下される等、緊急ログオンが選択された場合、処理回路１３１は、操作者がＥｍｅｒｇｅｎｃｙ  Ｕｓｅｒとして緊急的にログオンしたことを認証する。
【００２５】
操作記憶機能１３１５は、実行した処理を管理する機能である。具体的には、操作記憶機能１３１５において処理回路１３１は、例えば、操作者の指示に従って医用画像診断装置１００が処理を実行する度に、実行した処理を、実行された時刻と共にメモリ１２９に記憶する。医用画像診断装置１００の処理には、例えば、ユーザ名及びパスワードを用いた通常のログオン処理、Ｅｍｅｒｇｅｎｃｙ  Ｕｓｅｒとしての緊急ログオン処理、患者情報の登録処理、スキャン条件の設定処理、再構成条件の設定処理、撮影処理、検査の終了処理、画像解析処理、フィルミング処理、画像転送処理、及びログオフ処理等が含まれる。
【００２６】
ゲート定義機能１３１６は、医用画像診断装置１００の処理についての制限を定義する機能であり、定義部の一例である。具体的には、例えば、メモリ１２９には、制限を受けずに実行可能な処理が記憶されている。制限を受けずに実行可能な処理は、例えば、緊急で依頼された検査に関する処理である。また、例えば、メモリ１２９には、実行が制限されている処理が、制限を解除するための条件と共に記憶されている。実行が制限されている処理は、例えば、患者についての情報を扱う処理である。制限を解除するための条件は、例えば、緊急で依頼された検査に関する処理を実行すること等である。ゲート定義機能１３１６において処理回路１３１は、例えば、操作者の入力指示に従い、メモリ１２９に記憶されている、実行が制限されている処理、及び制限を解除するための条件を変更する。
【００２７】
制限制御機能１３１７は、処理に設定されている制限を起動させる機能であり、制限制御部の一例である。具体的には、制限制御機能１３１７において処理回路１３１は、操作者から所定の入力があると、処理に対して設定されている制限を起動させる。操作者からの所定の入力とは、例えば、Ｅｍｅｒｇｅｎｃｙ  Ｕｓｅｒとしての緊急ログオンである。なお、操作者から医用画像診断装置１００の起動指示の入力に応じ、処理に対して設定されている制限を起動させてもよい。
【００２８】
また、制限制御機能１３１７は、実行された処理に基づき、実行が制限されている処理についての制限を解除する機能でもある。具体的には、制限制御機能１３１７において処理回路１３１は、例えば、医用画像診断装置１００が処理を実行し、実行した処理がメモリ１２９に記憶されると、メモリ１２９に記憶されている実行済みの処理を読み出す。また、処理回路１３１は、メモリ１２９に記憶されている、制限を解除するための条件を読み出す。処理回路１３１は、実行済みの処理と、条件とを比較し、実行済みの処理が条件を満たすか否かを判断する。満たす場合、処理回路１３１は、制限されている処理を解放する。
【００２９】
次に、以上のように構成された医用画像診断装置１００において、各処理に設定されている制限が解除される動作を、処理回路１３１の処理手順に従って説明する。なお、以下の説明では、医用画像診断装置１００がＭＲＩ装置である場合を例に説明する。
【００３０】
図２は、図１に示される処理回路１３１が、制限を解除しながら処理を実行する動作の例を表すフローチャートである。なお、図２では、操作者がＥｍｅｒｇｅｎｃｙ  Ｕｓｅｒとして緊急的にログオンする場合を例に説明する。
【００３１】
まず、操作者は、医用画像診断装置１００を起動させる。医用画像診断装置１００は、起動すると、図３に示されるログオン画面をディスプレイ１２７に表示させる。なお、医用画像診断装置１００は、待機状態から復帰した際において、図３に示されるログオン画面をディスプレイ１２７に表示させるようにしてもよい。
【００３２】
操作者は、ログオン画面における「Ｅｍｅｒｇｅｎｃｙ  Ｕｓｅｒ」ボタンＢ１を入力インタフェース１２５を介して押下する。操作者により「Ｅｍｅｒｇｅｎｃｙ  Ｕｓｅｒ」ボタンＢ１が押下されると、処理回路１３１は、認証・管理機能１３１４を実行する。認証・管理機能１３１４を実行すると処理回路１３１は、操作者がＥｍｅｒｇｅｎｃｙ  Ｕｓｅｒとして緊急的にログオンしたことを認証する（ステップＳ２１）。
【００３３】
なお、通常のユーザとしてログオンする場合、操作者は、「Ｎａｍｅ」に登録されているユーザ名を入力し、入力したユーザ名と対応付けられているパスワードを「Ｐａｓｓｗｏｒｄ」に入力した後、「Ｌｏｇｉｎ」ボタンＢ２を入力インタフェース１２５を介して押下する。
【００３４】
処理回路１３１は、操作者がＥｍｅｒｇｅｎｃｙ  Ｕｓｅｒとして緊急的にログオンしたと判断すると、操作記憶機能１３１５を実行する。操作記憶機能１３１５を実行すると処理回路１３１は、操作者が緊急ログオンしたこと、及び操作者が緊急ログオンした時刻をメモリ１２９へ記憶する（ステップＳ２２）。
【００３５】
操作者がＥｍｅｒｇｅｎｃｙ  Ｕｓｅｒとしてログオンする場合、操作者は正規のアカウントを持っていなくても機器にログオンできてしまう。そこで、図２における説明では、セキュリティ維持のため、例えば、操作者がＥｍｅｒｇｅｎｃｙ  Ｕｓｅｒとして緊急的にログオンした場合、医用画像診断装置１００の所定の動作に制限がかかるようになっている。すなわち、処理回路１３１は、操作者がＥｍｅｒｇｅｎｃｙ  Ｕｓｅｒとして緊急的にログオンしたと判断すると、制限制御機能１３１７を実行する。
【００３６】
制限制御機能１３１７を実行すると処理回路１３１は、メモリ１２９に記憶されている、Ｅｍｅｒｇｅｎｃｙ  Ｕｓｅｒに対して実行が制限されている処理を読み出す。図４は、図１に示されるメモリ１２９で記憶されている管理テーブルの例を表す図である。図４で示される管理テーブルでは、医用画像診断装置１００において実行可能な処理１〜１２が規定されている。規定されている処理のうち、少なくともいずれかは、Ｅｍｅｒｇｅｎｃｙ  Ｕｓｅｒとしてのログオン直後に実行可能な、セキュリティレベルの低い、例えば、緊急の検査を実施するための処理である。また、規定されているその他の処理は、Ｅｍｅｒｇｅｎｃｙ  Ｕｓｅｒとしてのログオン直後では実施できない、セキュリティレベルの高い、例えば、患者についての情報を扱う処理である。
【００３７】
具体的には、例えば、図４において、処理１：「緊急ログオン」、処理２：「患者登録」、処理３：「スキャン条件設定」、処理４：「再構成条件設定」、処理５：「撮影」、処理６：「現在の検査についての検査終了」、及び処理１２：「ログオフ」は、Ｅｍｅｒｇｅｎｃｙ  Ｕｓｅｒとしてのログオン直後に実行可能な、セキュリティレベルの低い処理である。なお、処理３：「スキャン条件設定」、処理４：「再構成条件設定」、及び処理５：「撮影」については、実行可能な対象が、例えば、緊急で検査しなければならない現在の患者のみであるとする。すなわち、現在扱っている患者の検査以外の情報を参照することはできない。また、処理３：「スキャン条件設定」、及び処理４：「再構成条件設定」については、設定可能なパラメータに制限が加えられていても構わない。
【００３８】
処理７：「現在取得されているＭＲ画像についての画像処理」、処理８：「現在取得されている情報のフィルミング」、処理９：「過去に取得された本患者についての情報のフィルミング」、処理１０：「現在取得されている画像の転送」、及び処理１１：「過去に取得された本患者についての画像の転送」は、Ｅｍｅｒｇｅｎｃｙ  Ｕｓｅｒとしてのログオン直後では実施できない、セキュリティレベルの高い処理である。つまり、操作者は、Ｅｍｅｒｇｅｎｃｙ  Ｕｓｅｒとしてのログオン直後では、画像処理を実施できず、画像のフィルミングができず、かつ、画像を他のサーバへ送信することができない。なお、ＭＲ画像についての画像処理は、例えば、ＭＲ画像データに対する最大値投影処理（Maximum Intensity Projection：ＭＩＰ）、及びＭＲ画像データに対するＭＰＲ（Multi-Planar Reconstruction）処理等が含まれる。
【００３９】
セキュリティレベルの低い処理のうち、少なくともいずれかは、セキュリティレベルの高い処理についての制限を解除するためのゲートとして設定されている。本実施形態において、ゲートとは、例えば、セキュリティレベルの高い処理についての制限を解除するための条件において、満たすべき要件を表す。具体的には、例えば、処理３：「スキャン条件設定」、処理４：「再構成条件設定」、処理５：「撮影」、及び処理６：「現在の検査についての検査終了」は、それぞれゲート１〜４として設定されている。
【００４０】
また、セキュリティレベルの高い処理のうち、少なくともいずれかは、セキュリティレベルがより高い処理についての制限を解除するためのゲートとして設定されている。具体的には、例えば、処理７：「現在取得されているＭＲ画像についての画像処理」は、ゲート５として設定されている。
【００４１】
図４において、セキュリティレベルの高い処理に対しては、制限を解除するための条件が設定されている。具体的には、例えば、処理７：「現在取得されているＭＲ画像についての画像処理」に対しては、ゲート１〜４が既定の順序、例えば、ゲート１，２，３，４の順序で通過されることが条件として設定されている。また、処理８：「現在取得されている情報のフィルミング」に対しては、ゲート１〜４が既定の順序で通過されることが条件として設定されている。また、処理９：「過去に取得された情報のフィルミング」に対しては、ゲート１〜５が既定の順序で通過されることが条件として設定されている。また、処理１０：「現在取得されている画像の転送」に対しては、ゲート１〜３が既定の順序で通過されることが条件として設定されている。また、処理１１：「過去に取得された画像の転送」に対しては、ゲート１〜５が既定の順序で通過されることが条件として設定されている。
【００４２】
処理回路１３１は、図４に示される管理テーブルを参照し、Ｅｍｅｒｇｅｎｃｙ  Ｕｓｅｒに対して実行が制限されている処理、具体的には、処理７：「現在取得されているＭＲ画像についての画像処理」、処理８：「現在取得されている情報のフィルミング」、処理９：「過去に取得された情報のフィルミング」、処理１０：「現在取得されている画像の転送」、及び処理１１：「過去に取得された画像の転送」を読み出す。処理回路１３１は、これらの処理の実行を受け付けないように設定する（ステップＳ２３）。すなわち、処理に対して設定されている制限を起動させる。
【００４３】
処理回路１３１は、これらの処理が現状において実施できないことを操作者へ通知する。例えば、処理回路１３１は、これらの処理が実施できない旨を図５に示されるように、ディスプレイ１２７に表示する（ステップＳ２４）。図５に示される例では、Ｅｍｅｒｇｅｎｃｙ  Ｕｓｅｒに対して機能制限があることを表すダイアログが表示されている。また、図５では、ディスプレイ１２７の右下のアイコンＩ１が灰色で表示されており、過去の検査についての情報を参照できないことが表されている。
【００４４】
続いて、処理回路１３１は制限制御機能１３１７において、条件で設定されているゲートが通過された処理があるか否かを判断する（ステップＳ２５）。ここでは、Ｅｍｅｒｇｅｎｃｙ  Ｕｓｅｒによるログオン直後であるため、通過されたゲートはない（ステップＳ２５のＮｏ）。そこで、処理回路１３１は、操作者からの指示に応じ、現在実行可能な処理を実行する（ステップＳ２６）。
【００４５】
具体的には、例えば、処理回路１３１は、操作者から患者情報の登録指示を受け付ける。処理回路１３１は、指示に応じ、患者情報の登録処理を実行する。図６は、患者の登録画面の例を表す図である。図６に示される登録画面では、検査リストＬ１が表示されている。図６における検査リストＬ１では、現在扱っている患者の検査についての情報のみが表示されている。患者情報は、例えば、この患者に対して発行された緊急の検査オーダに基づいて登録されてもよいし、入力インタフェース１２５を介して操作者により登録されてもよい。
【００４６】
処理回路１３１は、現在実行可能な処理、ここでは患者の登録処理を実行すると、操作記憶機能１３１５を実行する。操作記憶機能１３１５を実行すると処理回路１３１は、操作者が患者を登録したこと、及び操作者が患者を登録した時刻をメモリ１２９へ記憶する（ステップＳ２７）。
【００４７】
処理回路１３１は、ステップＳ２８の処理を介し、ステップＳ２５において、条件で設定されているゲートが通過された処理があるか否かを判断する。実行された処理は患者登録のみであるため、通過されたゲートはない（ステップＳ２５のＮｏ）。そこで、処理回路１３１は、操作者からの指示に応じ、現在実行可能な処理を実行する（ステップＳ２６）。
【００４８】
具体的には、例えば、処理回路１３１は、操作者から、検査リストＬ１に表示される検査についてのスキャン条件の設定指示を受け付ける。処理回路１３１は、指示に応じ、選択された検査についてのスキャン条件の設定処理を実行する。図７は、スキャン条件の設定画面の例を表す図である。図７に示される設定画面では、現在扱っている患者の検査についてのパラメータが入力されている。入力されるパラメータの値は、例えば、この患者に対して発行された緊急の検査オーダに基づいて自動的に入力されてもよいし、入力インタフェース１２５を介して操作者により入力されてもよい。
【００４９】
処理回路１３１は、現在実行可能な処理、ここではスキャン条件の設定処理を実行すると、操作者がスキャン条件を設定したこと、及び操作者がスキャン条件を設定した時刻をメモリ１２９へ記憶する（ステップＳ２７）。
【００５０】
処理回路１３１は、ステップＳ２８の処理を介し、ステップＳ２５において、条件で設定されているゲートが通過された処理があるか否かを判断する。スキャン条件の設定処理が実行されたため、ゲート１は通過されてはいるが、制限解除のための条件は未だに満たされていない（ステップＳ２５のＮｏ）。そこで、処理回路１３１は、操作者からの指示に応じ、現在実行可能な処理を実行する（ステップＳ２６）。
【００５１】
具体的には、例えば、処理回路１３１は、操作者から、スキャン条件の設定が完了した検査について、再構成条件の設定指示を受け付ける。処理回路１３１は、指示に応じ、再構成条件の設定処理を実行する。再構成条件の設定処理では、現在扱っている患者の検査についての再構成条件が入力される。再構成条件は、例えば、この患者に対して発行された緊急の検査オーダに基づいて自動的に入力されてもよいし、入力インタフェース１２５を介して操作者により入力されてもよい。
【００５２】
処理回路１３１は、現在実行可能な処理、ここでは再構成条件の設定処理を実行すると、操作者が再構成条件を設定したこと、及び操作者が再構成条件を設定した時刻をメモリ１２９へ記憶する（ステップＳ２７）。
【００５３】
処理回路１３１は、ステップＳ２８の処理を介し、ステップＳ２５において、条件で設定されているゲートが通過された処理があるか否かを判断する。メモリ１２９に記憶されている処理、及びこの処理が実行された時刻によれば、スキャン条件の設定処理が実行された後、再構成条件の設定処理が実行されたため、ゲートがゲート１、ゲート２の順序で通過されている。しかしながら、制限解除のための条件は未だに満たされていない（ステップＳ２５のＮｏ）。そこで、処理回路１３１は、操作者からの指示に応じ、現在実行可能な処理を実行する（ステップＳ２６）。具体的には、例えば、処理回路１３１は、操作者から、再構成条件の設定が完了した検査について、撮影指示を受け付ける。処理回路１３１は、指示に応じ、患者の撮影を実行する。
【００５４】
処理回路１３１は、現在実行可能な処理、ここでは患者の撮影が完了すると、患者の撮影が完了したこと、及び患者の撮影が完了した時刻をメモリ１２９へ記憶する（ステップＳ２７）。
【００５５】
処理回路１３１は、ステップＳ２８の処理を介し、ステップＳ２５において、条件で設定されているゲートが通過された処理があるか否かを判断する。メモリ１２９に記憶されている処理、及びこの処理が実行された時刻によれば、スキャン条件の設定処理が実行され、再構成条件の設定処理が実行された後、患者の撮影が実行されたため、ゲートがゲート１、ゲート２、ゲート３の順序で通過されている。図４によれば、処理１０：「現在取得されている情報の転送」に対する制限の解除条件は、ゲート１〜３が既定の順序で通過されることである。処理回路１３１は、処理１０に対する制限の解除条件が満たされたと判断する（ステップＳ２５のＹｅｓ）。
【００５６】
処理１０に対する制限の解除条件が満たされたと判断すると、処理回路１３１は、処理に対する制限の一部、すなわち、処理１０に対する制限を解除する（ステップＳ２９）。処理に対する制限の一部を解除すると、処理回路１３１は、制限を解除した旨をディスプレイ１２７に表示させる（ステップＳ２１０）。図８は、現在取得されている情報の転送が実行可能となった際にディスプレイ１２７に表示されるダイアログの例を表す図である。
【００５７】
続いて、処理回路１３１は、操作者からの指示に応じ、現在実行可能な処理を実行する（ステップＳ２６）。ここでは、例えば、処理３：「スキャン条件設定」、処理４「再構成条件設定」、処理５：「撮影」、処理６：「現在の検査についての検査終了」、又は処理１０：「現在取得されている画像の転送」が実行可能であるが、操作者により、処理６：「現在の検査についての終了」の実行が指示される場合を説明する。
【００５８】
処理回路１３１は、患者の撮影が完了すると、操作者からの指示に応じ、現在の検査の終了処理を実行する。図９は、検査の終了画面の例を表す図である。図９に示される終了画面では、撮影が完了した検査についてチェックマークＣ１が付加されている。また、図９に示される終了画面では、検査の終了を指示するための、「検査終了」と表されるアイコンＩ２が表示されている。操作者がアイコンＩ２を入力インタフェース１２５を介して押下すると、この検査は終了となる。
【００５９】
処理回路１３１は、現在実行可能な処理、ここでは検査の終了処理を実行すると、検査が終了したこと、及び検査が終了した時刻をメモリ１２９へ記憶する（ステップＳ２７）。
【００６０】
処理回路１３１は、ステップＳ２８の処理を介し、ステップＳ２５において、条件で設定されているゲートが通過された処理があるか否かを判断する。メモリ１２９に記憶されている処理、及びこの処理が実行された時刻によれば、スキャン条件の設定処理が実行され、再構成条件の設定処理が実行され、患者の撮影が実行された後、検査が終了されため、ゲートがゲート１、ゲート２、ゲート３、ゲート４の順序で通過されている。図４によれば、処理７：「現在取得されているＭＲ画像についての画像処理」、及び処理８：「現在取得されている情報のフィルミング」に対する制限の解除条件は、ゲート１〜４が既定の順序で通過されることである。処理回路１３１は、処理７、及び処理８に対する制限の解除条件が満たされたと判断する（ステップＳ２５のＹｅｓ）。
【００６１】
処理７、及び処理８に対する制限の解除条件が満たされたと判断すると、処理回路１３１は、処理に対する制限の一部、すなわち、処理７、及び処理８に対する制限を解除する（ステップＳ２９）。処理に対する制限の一部を解除すると、処理回路１３１は、制限を解除した旨をディスプレイ１２７に表示させる（ステップＳ２１０）。図１０は、ＭＲ画像についての画像処理、及び現在取得されている情報のフィルミングが実行可能となった際にディスプレイ１２７に表示されるダイアログの例を表す図である。
【００６２】
続いて、処理回路１３１は、操作者からの指示に応じ、現在実行可能な処理を実行する（ステップＳ２６）。ここでは、例えば、処理９：「過去に取得された本患者についての情報のフィルミング」、及び処理１１：「過去に取得された本患者についての情報の転送」以外の処理、すなわち、処理３：「スキャン条件設定」、処理４：「再構成条件設定」、処理５：「撮影」、処理７：「現在取得されているＭＲ画像についての画像処理」、処理８：「現在取得されている情報のフィルミング」、及び処理１０：「現在取得されている画像の転送」が実行可能であるが、操作者により、処理７：「現在取得されているＭＲ画像についての画像処理」の実行が指示される場合を説明する。
【００６３】
処理回路１３１は、検査が終了すると、操作者からの指示に応じ、現在の患者について得られたＭＲ画像についての画像処理を実行する。処理回路１３１は、ＭＲ画像についての画像処理を実行することにより、例えば、ＭＩＰ画像、又はＭＰＲ画像等を作成する。
【００６４】
処理回路１３１は、現在実行可能な処理、ここではＭＲ画像についての画像処理を実行すると、画像処理を実行したこと、及び画像処理を実行した時刻をメモリ１２９へ記憶する（ステップＳ２７）。
【００６５】
処理回路１３１は、ステップＳ２８の処理を介し、ステップＳ２５において、条件で設定されているゲートが通過された処理があるか否かを判断する。メモリ１２９に記憶されている処理、及びこの処理が実行された時刻によれば、スキャン条件の設定処理が実行され、再構成条件の設定処理が実行され、患者の撮影が実行され、検査が終了された後、ＭＲ画像についての画像処理が実行されたため、ゲートがゲート１、ゲート２、ゲート３、ゲート４、ゲート５の順序で通過されている。図４によれば、処理９：「過去に取得された本患者についての情報のフィルミング」、及び処理１１：「過去に取得された本患者についての画像の転送」に対する制限の解除条件は、ゲート１〜５が既定の順序で通過されることである。処理回路１３１は、処理９、及び処理１１に対する制限の解除条件が満たされたと判断する（ステップＳ２５のＹｅｓ）。
【００６６】
処理９、及び処理１１に対する制限の解除条件が満たされたと判断すると、処理回路１３１は、処理に対する制限の一部、すなわち、処理９、及び処理１１に対する制限を解除する（ステップＳ２９）。処理に対する制限の一部を解除すると、処理回路１３１は、制限を解除した旨をディスプレイ１２７に表示させる（ステップＳ２１０）。図１１は、本患者について過去に得られた情報のフィルミング、及び転送が実行可能となった際にディスプレイ１２７に表示されるダイアログの例を表す図である。
【００６７】
図１２は、処理に対する制限が解除され、本患者について過去に実施された検査が参照可能となった際の患者の登録画面の例を表す図である。図１２によれば、緊急で検査依頼が入った患者について、現在取得された情報に加え、過去に取得された情報も検査リストＬ１に含まれることになる。
【００６８】
続いて、処理回路１３１は、ステップＳ２８において、操作者によりログオフ処理がされたか否かを判断する。ログオフ処理がされた場合（ステップＳ２８のＹｅｓ）、処理回路１３１は、メモリ１２９に記憶されている、処理の実行記録をリセットし（ステップＳ２１１）、処理を終了させる。
【００６９】
なお、Ｅｍｅｒｇｅｎｃｙ  Ｕｓｅｒとしてログオンした場合のディスプレイ１２７の表示は、例えば、図６，７，９に示される表示に限定されない。例えば、ディスプレイ１２７には、操作者がＥｍｅｒｇｅｎｃｙ  Ｕｓｅｒとしてログオンしたことを表すアイコンＩ３が表示されていても構わない。図１３は、アイコンＩ３が「Ｅｍｅｒｇｅｎｃｙ  Ｍｏｄｅ」と表され、患者登録画面の右端に表示される場合の例を表す図である。このアイコンＩ３により、操作者は自身がＥｍｅｒｇｅｎｃｙ  Ｕｓｅｒとしてログオンしたことを認識しながら処理を進めることが可能となる。
【００７０】
また、操作者がアイコンＩ３を押下した場合、例えば、図３に示されるログオン画面が表示されるようにしてもよい。これにより、何時でも通常のログオンに切り換えることが可能となり、医用画像診断装置１００の処理を制限なく実行することが可能となる。
【００７１】
また、ディスプレイ１２７には、現在実行可能な処理が表示されていても構わない。図１４は、現在実行可能な処理が表示される患者登録画面の例を表す模式図である。図１４によれば、この時点において実行可能な処理は明るく表示され、制限がかけられている処理には網掛けがなされている。
【００７２】
また、医用画像診断装置１００について設定されている処理は、図４に示されるものに限定されない。操作者は図４に示される設定を変更することが可能である。操作者から、制限についての設定を変更する指示を受け付けると、処理回路１３１は、例えば、ゲート定義機能１３１６を実行する。ゲート定義機能１３１６において処理回路１３１は、操作者からの指示に基づき、処理について課される制限、及び制限を解除するための条件等を設定する。
【００７３】
図１５は、処理に対する制限の設定画面の例を表す図である。図１５によれば、「処理」に対して、「対象」、「ゲート（解除条件）」、及び「Ｅｍｅｒｇｅｎｃｙ  Ｕｓｅｒ」が関連付けられている。処理回路１３１は、操作者からの入力に基づき、「処理」へ新たな処理を追加し、又は／及び、「処理」からいずれかの処理を削除してもよい。また、処理回路１３１は、操作者からの入力に基づき、「対象」へ、例えば、「−」、「現在の患者」、「過去の患者」、「現在の検査」、及び「過去の検査」等のうちいずれか１つを設定してもよい。また、処理回路１３１は、操作者からの入力に基づき、「ゲート（解除条件）」に表示されているチェックボックスのいずれかへチェックを入れたり、削除したりしてもよい。また、処理回路１３１は、操作者からの入力に基づき、「Ｅｍｅｒｇｅｎｃｙ  Ｕｓｅｒ」に表示されているチェックボックスのいずれかへチェックを入れたり、削除したりしてもよい。なお、Ｅｍｅｒｇｅｎｃｙ  Ｕｓｅｒとしてのログオンでは、決して実施できない処理も一部にあり得る。
【００７４】
また、図２に係る説明では、操作者がＥｍｅｒｇｅｎｃｙ  Ｕｓｅｒとしてログオンした場合に、処理についての制限が開始される場合を説明した。しかしながら、処理についての制限の開始は、Ｅｍｅｒｇｅｎｃｙ  Ｕｓｅｒとしてログオンをトリガとするものに限られない。例えば、医用画像診断装置１００が起動された後、ログオン画面を介さずに使用可能となる場合、処理回路１３１は、医用画像診断装置１００の起動に応じ、制限制御機能１３１７を実行しても構わない。この場合、検査の緊急性に関わらず、全ての操作者に対して処理制限が課されることになる。
【００７５】
以上のように、第１の実施形態では、医用画像診断装置１００は、患者についての情報を扱う処理に対し、検査を実施するための処理を先に実行することを条件とした制限をかけている。そして、医用画像診断装置１００は、操作者により検査を実施するための処理が実行されることで条件が満たされた場合、制限をかけていた、患者についての情報を扱う処理を実行可能とするようにしている。これにより、操作開始時にかかっていた、患者についての情報を扱う処理についての制約が、所定の手順を踏むことで解消されることになる。このため、操作者に成りすました不正なユーザが医用画像診断装置１００を使用した場合であっても、使用開始時においては、患者情報を自由に扱うことができない。一方、所定の手順を踏めば、医用画像診断装置１００の処理を不自由なく実行することができるようになる。
【００７６】
また、本実施形態によれば、医用画像診断装置１００を使用するためにログオンが必須ではない。このため、ユーザ名及びパスワードを入力する必要がなくなるため、個人アカウントの発行忘れ、ユーザ名及び／又はパスワードの失念、又は紛失が解消されることになる。
【００７７】
さらに、本実施形態によれば、生体認証等を用いなくとも医用画像診断装置１００のセキュリティを向上させることが可能である。このため、追加のデバイスが不要であり、装置のコストアップを防ぐことが可能となる。また、生体認証を用いる際の事前の準備も不用となる。
【００７８】
また、第１の実施形態では、医用画像診断装置１００は、操作者が緊急ログオンした場合に、患者についての情報を扱う処理に対し、緊急の検査を実施するための処理を先に実行することを条件とした制限をかけている。そして、医用画像診断装置１００は、操作者により、緊急の検査を実施するための処理が実行されることで条件が満たされた場合、制限をかけていた、患者についての情報を扱う処理を実行可能とするようにしている。これにより、操作者に緊急の検査を実施させつつ、患者の情報を保護することが可能となる。また、適切に検査が実施された後には制限されていた処理が解放されるため、ワークフロー、機器の操作感、及び操作方法を通常時に近づけることが可能となる。
【００７９】
また、第１の実施形態では、医用画像診断装置１００は、実行された処理の順序にも基づいて処理にかけられていた制限を解除するようにしている。つまり、検査のワークフローに遵守して医用画像診断装置１００を操作した場合にのみ、制限が解除されるようにしている。これにより、患者についての情報を扱う処理についてのセキュリティをより向上させることが可能となる。
【００８０】
なお、第１の実施形態では、実行された処理、並びに、実行された処理及びその実行順序に基づき、処理に課されている制限を解除する場合を例に説明した。処理に課されている制限を解除する判断は、実行された処理、並びに、実行された処理及びその実行順序に基づくものに限られない。
【００８１】
例えば、処理回路１３１は、撮影処理が正常に実行されない場合、撮影処理の実行を要件とする処理を解放しないようにしてもよい。具体的には、例えば、処理回路１３１は、撮影により尤もらしい画像が得られない場合、撮影処理の実行を要件とする処理を解放しない。このとき、処理回路１３１は、メモリ１２９等に記憶されているプログラムを実行することにより、例えば、画像認識機能、及び判定機能を有している。画像認識機能は、撮影により取得された画像に対して画像認識処理を実行する機能である。処理回路１３１は、例えば、撮影が完了し、医用画像データが生成されると、画像認識機能を実行する。画像認識機能において処理回路１３１は、例えば、既存の画像認識技術を利用して、医用画像データに対する画像認識処理を実行する。
【００８２】
判定機能は、撮影により得られた画像が尤もらしいか否かを判定する機能である。処理回路１３１は、例えば、画像認識機能により医用画像データに含まれる画像が認識されると判定機能を実行する。判定機能において処理回路１３１は、例えば、認識された画像と、予め設定された部位毎のモデルデータとを比較することで、撮影により得られた画像が尤もらしいか否かを判定する。
【００８３】
処理回路１３１は、例えば、ステップＳ２６における患者の撮影処理が完了すると、制限制御機能１３１７を実行する。制限制御機能１３１７において処理回路１３１は、判定機能により、撮影で得られた画像が尤もらしくないとの判定結果が得られた場合、撮影処理が実行されなかったと判断する。すなわち、処理回路１３１は、ゲート３が通過されていないと判断する。
【００８４】
また、例えば、処理回路１３１は、撮影により得られた医用画像に対する読影レポートが作成されない場合、撮影処理が正常に実行されていないとして、撮影処理の実行を要件とする処理を解放しないようにしてもよい。このとき、処理回路１３１は、メモリ１２９等に記憶されているプログラムを実行することにより、例えば、レポート確認機能を有している。
【００８５】
レポート確認機能は、撮影により得られた医用画像に対する読影レポートが作成されたか否かを確認する機能である。処理回路１３１は、例えば、撮影が完了し、得られた医用画像データがＰＡＣＳサーバへ転送されると、レポート確認機能を実行する。レポート確認機能において処理回路１３１は、例えば、レポートシステムを監視し、読影レポートが作成されたか否かを確認する。
【００８６】
処理回路１３１は、例えば、ステップＳ２６における患者の撮影処理が完了すると、制限制御機能１３１７を実行する。制限制御機能１３１７において処理回路１３１は、レポート確認機能により、読影レポートが作成されたとの確認結果が得られない場合、撮影処理が実行されていないと判断する。すなわち、処理回路１３１は、ゲート３が通過されていないと判断する。
【００８７】
また、例えば、処理回路１３１は、撮影により得られた医用画像に対する他者からの承諾が得られない場合、撮影処理が正常に実行されていないとして、撮影処理の実行を要件とする処理を解放しないようにしてもよい。このとき、処理回路１３１は、メモリ１２９等に記憶されているプログラムを実行することにより、例えば、承諾確認機能を有している。
【００８８】
承諾確認機能は、撮影により得られた医用画像に対する他者からの承諾があったか否かを確認する機能である。処理回路１３１は、例えば、撮影が完了し、得られた医用画像データがＰＡＣＳサーバへ転送されると、承諾確認機能を実行する。承諾確認機能において処理回路１３１は、例えば、ＰＡＣＳを監視し、他者からの承諾が得られたか否かを確認する。
【００８９】
処理回路１３１は、例えば、ステップＳ２６における患者の撮影処理が完了すると、制限制御機能１３１７を実行する。制限制御機能１３１７において処理回路１３１は、承諾確認機能により、他者からの承諾が得られたとの確認結果が得られない場合、撮影処理が実行されていないと判断する。すなわち、処理回路１３１は、ゲート３が通過されていないと判断する。
【００９０】
また、例えば、処理回路１３１は、検査中であれば患者が載置されているはずの寝台に患者が存在していない場合、患者についての情報を扱う処理を解放しないようにしてもよい。具体的には、例えば、処理回路１３１は、メモリ１２９等に記憶されているプログラムを実行することにより患者確認機能を有する。
【００９１】
患者確認機能は、寝台に患者が存在しているか否かを確認する機能である。処理回路１３１は、例えば、スキャン条件の設定処理、再構成条件の設定処理、又は患者の撮影処理が開始されると患者確認機能を実行する。患者確認機能において処理回路１３１は、例えば、寝台の重さを検知することで寝台上の患者の存在を確認する。処理回路１３１は、検知した重さが規定値未満である場合、寝台に患者が存在していないと判断する。
【００９２】
処理回路１３１は、例えば、ステップＳ２６における、スキャン条件の設定処理、再構成条件の設定処理、及び患者の撮影処理を実行すると、制限制御機能１３１７を実行する。制限制御機能１３１７において処理回路１３１は、患者確認機能により、寝台に患者が存在していないとの確認結果が得られた場合、上記処理が実行されなかったと判断する。すなわち、処理回路１３１は、各処理にそれぞれ対応するゲート１〜３が通過されていないと判断する。
【００９３】
また、例えば、処理回路１３１は、スキャン条件が正しくない場合、スキャン条件の設定処理の実行を要件とする処理を解放しないようにしてもよい。具体的には、例えば、処理回路１３１は、メモリ１２９等に記憶されているプログラムを実行することによりスキャン条件判定機能を有する。
【００９４】
スキャン条件判定機能は、設定されたスキャン条件が正しいか否かを判定する機能である。処理回路１３１は、例えば、スキャン条件が設定されるとスキャン条件判定機能を実行する。スキャン条件判定機能において処理回路１３１は、例えば、設定されたスキャン条件と、予め設定されたスキャン条件とを比較することで、設定されたスキャン条件が正しいか否かを判定する。
【００９５】
処理回路１３１は、例えば、ステップＳ２６におけるスキャン条件の設定処理が完了すると、制限制御機能１３１７を実行する。制限制御機能１３１７において処理回路１３１は、スキャン条件判定機能により、設定されたスキャン条件が正しくないとの判定結果が得られた場合、スキャン条件の設定処理が実行されなかったと判断する。すなわち、処理回路１３１は、ゲート１が通過されていないと判断する。
【００９６】
また、例えば、処理回路１３１は、検査が適切でない場合、検査の終了処理の実行を要件とする処理を解放しないようにしてもよい。具体的には、例えば、処理回路１３１は、検査結果が検査オーダと一致しない場合、検査の終了処理の実行を要件とする処理を解放しない。このとき、処理回路１３１は、メモリ１２９等に記憶されているプログラムを実行することにより、例えば、検査判定機能を有している。
【００９７】
検査判定機能は、検査結果が検査オーダに含まれる情報と一致するか否かを判定する機能である。処理回路１３１は、例えば、検査が終了すると、検査判定機能を実行する。検査判定機能において処理回路１３１は、例えば、検査結果と、検査オーダに含まれる、スキャン条件、部位、体位、フィルム種類等の情報とが一致するか否かを判定する。
【００９８】
処理回路１３１は、例えば、ステップＳ２６における検査の終了処理が完了すると、制限制御機能１３１７を実行する。制限制御機能１３１７において処理回路１３１は、検査判定機能により、検査結果と、検査オーダとが一致しないとの判定結果が得られる場合、検査の終了処理が実行されていないと判断する。すなわち、処理回路１３１は、ゲート４が通過されていないと判断する。
【００９９】
また、例えば、処理回路１３１は、検査が所定の時間内に終了されない場合、検査が適切でないとして、検査の終了処理の実行を要件とする処理を解放しないようにしてもよい。このとき、処理回路１３１は、メモリ１２９等に記憶されているプログラムを実行することにより、例えば、検査時間判定機能を有している。
【０１００】
検査時間判定機能は、検査が開始されてから終了するまでにかかった時間が所定の時間内であるか否かを判定する機能である。処理回路１３１は、例えば、患者情報が登録されると、検査時間のカウントを開始する。そして、処理回路１３１は、例えば、検査が終了すると、検査時間判定機能を実行する。検査時間判定機能において処理回路１３１は、例えば、検査時間のカウントを停止し、得られたカウント値が、予め設定されている時間未満であるか否かを判定する。
【０１０１】
処理回路１３１は、例えば、ステップＳ２６における検査の終了処理が完了すると、制限制御機能１３１７を実行する。制限制御機能１３１７において処理回路１３１は、検査時間判定機能により、得られたカウント値が、予め設定されている時間以上であるとの判定結果が得られる場合、検査の終了処理が実行されていないと判断する。すなわち、処理回路１３１は、ゲート４が通過されていないと判断する。
【０１０２】
（その他の実施例）  
上記図２を用いた動作説明では、医用画像診断装置１００がＭＲＩ装置である場合を例に説明した。しかしながら、医用画像診断装置１００は、ＭＲＩ装置に限定されない。医用画像診断装置１００は、ＭＲＩ装置以外の装置、例えば、Ｘ線診断装置、Ｘ線ＣＴ（Computed Tomography）装置、及び超音波診断装置等、様々な装置を想定し得る。
【０１０３】
なお、Ｘ線診断装置については、カセッテ（ＦＰＤ：Flat Panel Detector）の取り外し処理に対し、他の処理の実行が要件となる制限がかかっていてもよい。また、超音波診断装置については、超音波プローブの取り外し処理に対し、他の処理の実行が要件となる制限がかかっていてもよい。
【０１０４】
（第２の実施形態）  
第１の実施形態では、医用画像を取得する医用画像診断装置１００について説明した。第２の実施形態では、医用画像診断装置１００ａが、レポートシステムに設けられるレポートサーバである場合を説明する。
【０１０５】
図１６は、第２の実施形態に係る医用画像診断装置１００ａが設けられるレポートシステムの機能構成の例を表す図である。図１６に示されるレポートシステムは、読影医による読影レポートの作成を管理するシステムである。レポートシステムは、例えば、レポートサーバとしての医用画像診断装置１００ａ、及び通信端末２００を有する。
【０１０６】
医用画像診断装置１００ａは、読影医が読影レポートを作成するための種々の情報を管理する。具体的には、例えば、医用画像診断装置１００ａは、管理リストにより、読影オーダに対する読影レポート作成の未実施、又は既実施を管理する。医用画像診断装置１００ａは、ＨＩＳ（Hospital Information System）から送信される読影オーダ情報、及び患者情報を受信すると、例えば、管理リストに未読影の読影オーダを１つ加える。
【０１０７】
通信端末２００は、例えば、読影医等の医療スタッフがＬＡＮに接続されているシステム及び装置等へアクセスするための端末、例えば、ビューワである。具体的には、例えば、通信端末２００は、読影医により操作され、医用画像診断装置１００ａから提供される情報に基づいて読影レポートを作成する。
【０１０８】
図１６に示される医用画像診断装置１００ａは、バス１２３、入力インタフェース１２５、ディスプレイ１２７、通信インタフェース１２８、メモリ１２９ａ、及び処理回路１３１ａを備える。
【０１０９】
メモリ１２９ａは、種々の情報を記憶するＲＯＭ、ＲＡＭ、ＨＤＤ、ＳＳＤ、及び集積回路記憶装置等の記憶装置である。また、メモリ１２９ａは、ＣＤ−ＲＯＭドライブ、ＤＶＤドライブ、及びフラッシュメモリ等の可搬性記憶媒体との間で種々の情報を読み書きする駆動装置等であってもよい。なお、メモリ１２９ａは、単一の記憶装置に限られず、例えば、複数の記憶装置により実現されても構わない。また、メモリ１２９ａは、医用画像診断装置１００ａにネットワークを介して接続された他のコンピュータ内にあってもよい。
【０１１０】
メモリ１２９ａは、処理回路１３１ａで実行される各種機能に対応するプログラムを記憶している。なお、これら各種機能に対応するプログラムは、例えば、メモリ１２９ａに予め記憶されていてもよい。また、例えば、非一過性の記憶媒体に記憶されて配布され、非一過性の記憶媒体から読み出されてメモリ１２９ａにインストールされてもよい。また、メモリ１２９ａは、読影オーダに対する読影レポート作成の未実施、又は既実施を管理する管理リストを記憶している。
【０１１１】
本実施形態に係る医用画像診断装置１００ａは、読影レポートの作成開始時に読影医に対してログオンを要求し、読影医から入力されたユーザ名及びパスワードに基づいて読影医を認証する。メモリ１２９ａは、読影医に対して設定されているユーザ名及びパスワードを記憶している。
【０１１２】
本実施形態では、医用画像診断装置１００ａは、読影医の本装置の利用に対し、ユーザ定義に応じた制限をかけている。そして、医用画像診断装置１００ａは、実行可能と設定されている処理の実行状況に応じ、制限されている処理を段階的に実行可能にする。メモリ１２９ａは、読影医に対して実行が制限されている処理、及び制限を解除するための条件を記憶している。なお、読影医に対して実行が制限されている処理、及び制限を解除するための条件は、設定を変更することが可能である。
【０１１３】
メモリ１２９ａは、処理回路１３１ａの制御により、読影医が作成した読影レポートを記憶する。また、本実施形態に係る医用画像診断装置１００ａは、利用が制限されている読影医が、制限を解除するための条件を満たしたか否かを判断するため、読影医が実施した処理を記憶する必要がある。メモリ１２９ａは、処理回路１３１ａの制御により、読影医の指示に従って実行した処理を、実行時刻と共に記憶する。
【０１１４】
処理回路１３１ａは、医用画像診断装置１００ａの中枢として機能するプロセッサである。処理回路１３１ａは、メモリ１２９ａ等に記憶されているプログラムを実行することにより、当該プログラムに対応する機能を実現する。例えば、処理回路１３１ａは、プログラムを実行することで、認証・管理機能１３１４ａ、操作記憶機能１３１５ａ、ゲート定義機能１３１６ａ、及び制限制御機能１３１７ａを有する。なお、本実施形態では、単一のプロセッサによって認証・管理機能１３１４ａ、操作記憶機能１３１５ａ、ゲート定義機能１３１６ａ、及び制限制御機能１３１７ａが実現される場合を説明するが、これに限定されない。例えば、複数の独立したプロセッサを組み合わせて処理回路を構成し、各プロセッサがプログラムを実行することにより認証・管理機能１３１４ａ、操作記憶機能１３１５ａ、ゲート定義機能１３１６ａ、及び制限制御機能１３１７ａを実現しても構わない。
【０１１５】
認証・管理機能１３１４ａは、ログオン情報を管理し、ログオン時に読影医から入力される情報に基づいて読影医を認証する機能である。具体的には、認証・管理機能１３１４ａにおいて処理回路１３１ａは、ディスプレイ１２７にログオン画面を表示させ、読影医にログオンに必要な情報を入力させる。処理回路１３１ａは、読影医により入力されたユーザ名及びパスワードを、メモリ１２９ａに記憶されているユーザ名及びパスワードと照合し、読影医の認証を行う。入力されたユーザ名及びパスワードが、メモリ１２９に記憶されているユーザ名及びパスワードと同一である場合、処理回路１３１ａは、通常のログオンがなされたと判断する。また、ディスプレイ１２７に表示されるログオン画面には、例えば、緊急ログオンボタンが表示される。読影医により緊急ログオンボタンが押下される等、緊急ログオンが選択された場合、処理回路１３１ａは、読影医がＥｍｅｒｇｅｎｃｙ  Ｕｓｅｒとして緊急的にログオンしたと判断する。
【０１１６】
操作記憶機能１３１５ａは、実行した処理を管理する機能である。具体的には、操作記憶機能１３１５ａにおいて処理回路１３１ａは、例えば、読影医が読影レポートを作成する手順に従って所定の処理を実行する度に、実行した処理を、実行された時刻と共にメモリ１２９に記憶する。読影医が実行する処理とは、例えば、患者情報の登録、キー画像の読み出し、所見内容の作成、キー画像の貼付、読影レポートの完成等が挙げられる。
【０１１７】
ゲート定義機能１３１６ａは、読影医に対して制限されている利用を定義する機能である。具体的には、例えば、メモリ１２９ａには、制限を受けずに実行可能な処理が記憶されている。制限を受けずに実行可能な処理は、例えば、緊急で依頼された読影に関する処理である。また、例えば、メモリ１２９ａには、実行が制限されている処理が、制限を解除するための条件と共に記憶されている。実行が制限されている処理は、例えば、患者についての情報を扱う、「現在読影が依頼されている情報のフィルミング」、「過去に取得された本患者についての情報のフィルミング」、「現在読影が依頼されている画像の転送」、及び「過去に取得された本患者についての画像の転送」等の処理である。制限を解除するための条件は、例えば、緊急で依頼された読影に関する処理を実行すること等である。ゲート定義機能１３１６ａにおいて処理回路１３１ａは、例えば、操作者の入力指示に従い、メモリ１２９ａに記憶されている、実行が制限されている処理、及び制限を解除するための条件を変更する。
【０１１８】
制限制御機能１３１７ａは、処理に設定されている制限を起動させる機能である。具体的には、制限制御機能１３１７ａにおいて処理回路１３１ａは、読影医から所定の入力があると、処理に対して設定されている制限を起動させる。読影医からの所定の入力とは、例えば、Ｅｍｅｒｇｅｎｃｙ  Ｕｓｅｒとしての緊急ログオンである。なお、読影医から医用画像診断装置１００ａの起動指示の入力に応じ、処理に対して設定されている制限を起動させてもよい。
【０１１９】
また、制限制御機能１３１７ａは、実行された処理に基づき、実行が制限されている処理についての制限を解除する機能でもある。具体的には、制限制御機能１３１７ａにおいて処理回路１３１ａは、例えば、読影医が処理を実行し、実行した処理がメモリ１２９ａに記憶されると、メモリ１２９ａに記憶されている実行済みの処理を読み出す。また、処理回路１３１ａは、メモリ１２９ａに記憶されている、制限を解除するための条件を読み出す。処理回路１３１ａは、実行済みの処理と、条件とを比較し、実行済みの処理が条件を満たすか否かを判断する。満たす場合、処理回路１３１ａは、制限されている処理を解放する。
【０１２０】
医用画像診断装置１００ａの処理回路１３１ａは、図２に示されるフローチャートと同様の動作により、読影医に対して制限されている処理を解放する。
【０１２１】
以上のように、第２の実施形態では、医用画像診断装置１００ａは、患者についての情報を扱う処理に対し、読影レポートを作成するための処理を先に実行することを条件とした制限をかけている。そして、医用画像診断装置１００ａは、読影医により読影レポートを作成するための処理が実行されることで条件が満たされた場合、制限をかけていた、患者についての情報を扱う処理を実行可能とするようにしている。これにより、読影レポートの作成開始時にかかっていた、患者についての情報を扱う処理についての制約が、所定の手順を踏むことで解消されることになる。このため、読影医に成りすました不正なユーザが通信端末２００から医用画像診断装置１００ａへアクセスした場合であっても、作成開始時においては、患者情報を自由に扱うことができない。一方、所定の手順を踏めば、医用画像診断装置１００ａを不自由なく利用することができるようになる。
【０１２２】
なお、第２の実施形態では、レポートサーバとしての医用画像診断装置１００ａが、認証・管理機能１３１４ａ、操作記憶機能１３１５ａ、ゲート定義機能１３１６ａ、及び制限制御機能１３１７ａを有する場合を例に説明した。しかしながら、これに限定されない。認証・管理機能１３１４ａ、操作記憶機能１３１５ａ、ゲート定義機能１３１６ａ、及び制限制御機能１３１７ａのうち、少なくともいずれかは、ビューワである通信端末２００が有していても構わない。
【０１２３】
以上説明した少なくとも一つの実施形態によれば、医用画像診断装置は、セキュリティを強化しつつ、ユーザビリティの低下を抑えることができる。
【０１２４】
実施形態の説明において用いた「プロセッサ」という文言は、例えば、ＣＰＵ（central processing unit）、ＧＰＵ(Graphics Processing Unit)、或いは、特定用途向け集積回路（Application Specific Integrated Circuit：ＡＳＩＣ））、プログラマブル論理デバイス（例えば、単純プログラマブル論理デバイス（Simple Programmable Logic Device：ＳＰＬＤ）、複合プログラマブル論理デバイス（Complex Programmable Logic Device：ＣＰＬＤ）、及びフィールドプログラマブルゲートアレイ（Field Programmable Gate Array：ＦＰＧＡ））等の回路を意味する。プロセッサは記憶回路に保存されたプログラムを読み出し実行することで機能を実現する。なお、記憶回路にプログラムを保存する代わりに、プロセッサの回路内にプログラムを直接組み込むよう構成しても構わない。この場合、プロセッサは回路内に組み込まれたプログラムを読み出し実行することで機能を実現する。なお、上記各実施形態の各プロセッサは、プロセッサごとに単一の回路として構成される場合に限らず、複数の独立した回路を組み合わせて１つのプロセッサとして構成し、その機能を実現するようにしてもよい。さらに、上記各実施形態における複数の構成要素を１つのプロセッサへ統合してその機能を実現するようにしてもよい。
【０１２５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２６】
１００，１００ａ…医用画像診断装置
１２１…検査装置
１２３…バス
１２５…入力インタフェース
１２７…ディスプレイ
１２８…通信インタフェース
１２９，１２９ａ…メモリ
１３１，１３１ａ…処理回路
２００…通信端末
１３１１…システム制御機能
１３１４，１３１４ａ…認証・管理機能
１３１５，１３１５ａ…操作記憶機能
１３１６，１３１６ａ…ゲート定義機能
１３１７，１３１７ａ…制限制御機能
【図１】
2020004086.tif 000003
【図２】
2020004086.tif 000004
【図３】
2020004086.tif 000005
【図４】
2020004086.tif 000006
【図５】
2020004086.tif 000007
【図６】
2020004086.tif 000008
【図７】
2020004086.tif 000009
【図８】
2020004086.tif 000010
【図９】
2020004086.tif 000011
【図１０】
2020004086.tif 000012
【図１１】
2020004086.tif 000013
【図１２】
2020004086.tif 000014
【図１３】
2020004086.tif 000015
【図１４】
2020004086.tif 000016
【図１５】
2020004086.tif 000017
【図１６】
2020004086.tif 000018